(57)【要約】【課題】防臭効果を向上させることができるディスク装置及び電子機器を提供する。【解決手段】筐体１１２と、前記筐体１１２に収容された発熱体１２２と、前記筐体１１２に収容されるとともに、前記発熱体１２２と電気的に接続した回路パターンが形成されたフェノール基板１１９と、前記筐体１１２に収容されるとともに、前記発熱体１２２からの熱を受けて前記フェノール基板１１９から発散されたフェノールを吸着する吸着部材１３０と、を具備したことを特徴とする。【選択図】  図４
2010176767.tif 000002
【特許請求の範囲】
【請求項１】
筐体と、
前記筐体に収容されたディスク媒体と、
前記ディスク媒体を支持するとともに、回転駆動する駆動機構と、
前記ディスク媒体に対して情報の再生を行う磁気ヘッドと、
前記ヘッドを前記ディスク媒体に対して移動可能に指示したキャリッジアセンブリと、
前記ディスク媒体の回転制御及び前記ヘッドによる情報の記録再生制御、及び前記キャリッジアセンブリの駆動制御を行うための回路パターンが形成されたフェノール基板と、
前記筐体に収容されるとともに、前記フェノール基板から発散されたフェノールを吸着する吸着部材と、
を具備したことを特徴とするディスク装置。
【請求項２】
前記吸着部材は、竹炭または塩化カルシウムの少なくともいずれか一方であり、前記筐体内の水分を吸着することを特徴とする請求項１記載のディスク装置。
【請求項３】
前記筐体は、排気孔が形成された壁部を有し、
前記吸着部材は、前記壁部の排気孔近傍に設けられたことを特徴とする請求項４記載のディスク装置。
【請求項４】
前記吸着部材は、竹炭または塩化カルシウムの少なくともいずれか一方を含むシート形状を有したフィルタであり、前記壁部の排気孔を覆って設けられたことを特徴とする請求項３記載のディスク装置。
【請求項５】
筐体と、
前記筐体に収容された発熱体と、
前記筐体に収容されるとともに、前記発熱体と電気的に接続した回路パターンが形成されたフェノール基板と、
前記筐体に収容されるとともに、前記発熱体からの熱を受けて前記フェノール基板から発散されたフェノールを吸着する吸着部材と、
を具備したことを特徴とする電子機器。
【請求項６】
前記吸着部材は、竹炭または塩化カルシウムの少なくともいずれか一方であり、前記筐体内の水分を吸着することを特徴とする請求項５記載の電子機器。
【請求項７】
前記筐体は、排気孔が形成された壁部を有し、
前記吸着部材は、前記壁部の排気孔近傍に設けられたことを特徴とする請求項６記載の電子機器。
【請求項８】
前記吸着部材は、竹炭または塩化カルシウムの少なくともいずれか一方を含むシート形状を有したフィルタであり、前記壁部の排気孔を覆って設けられたことを特徴とする請求項７記載の電子機器。
【請求項９】
前記発熱体は、情報を記憶するためのディスク装置であることを特徴とする請求項８記載の電子機器。
【発明の詳細な説明】
【技術分野】
【０００１】
本発明は、ディスク装置及び電子機器に関する。
【背景技術】
【０００２】
従来、紙にフェノールを含浸させて積層した紙フェノールを用いたプリント回路基板や、難燃剤としてフェノール、クレゾール、キシリゾールなどのフェノール誘導体とリン化合物との合成物が用いられた樹脂製のプリント回路基板が広く普及している。
【０００３】
例えば、特許文献１には、紙基材にフェノール樹脂またはエポキシ樹脂を含浸させたものであって且つ銅箔層のない基板素材上に導電性塗料を用いて回路を印刷形成したプリント回路基板が開示されている。
【先行技術文献】
【特許文献】
【０００４】
【特許文献１】特開２００８−３０６０２８号公報
【発明の概要】
【発明が解決しようとする課題】
【０００５】
しかしながら、従来のフェノールを用いたプリント回路基板では、電子部品等による発熱によって加熱されることでフェノールが発散し、異臭の原因となっていた。
そこで、本発明は、防臭効果を向上させることができるディスク装置及び電子機器を提供することを目的とする。
【課題を解決するための手段】
【０００６】
本発明は、筐体と、前記筐体に収容されたディスク媒体と、前記ディスク媒体を支持するとともに、回転駆動する駆動機構と、前記ディスク媒体に対して情報の再生を行う磁気ヘッドと、前記ヘッドを前記ディスク媒体に対して移動可能に指示したキャリッジアセンブリと、前記ディスク媒体の回転制御及び前記ヘッドによる情報の記録再生制御、及び前記キャリッジアセンブリの駆動制御を行うための回路パターンが形成されたフェノール基板と、前記筐体に収容されるとともに、前記フェノール基板から発散されたフェノールを吸着する吸着部材と、を具備したことを特徴とする。
【０００７】
また、本発明は、筐体と、前記筐体に収容された発熱体と、前記筐体に収容されるとともに、前記発熱体と電気的に接続した回路パターンが形成されたフェノール基板と、前記筐体に収容されるとともに、前記発熱体からの熱を受けて前記フェノール基板から発散されたフェノールを吸着する吸着部材と、を具備したことを特徴とする。
【発明の効果】
【０００８】
防臭効果を向上させることができる。
【図面の簡単な説明】
【０００９】
【図１】第１の実施形態に係るテレビジョン放送受信装置の外観を説明するための図。
【図２】第１の実施形態に係るテレビジョン放送受信装置の内部構造を示す斜視図。
【図３】第１の実施形態に係るテレビジョン放送受信装置の背面側の外観を示す図。
【図４】第１の実施形態に係るテレビジョン放送受信装置のバックカバーの正面側を示す図。
【図５】第２の本実施形態に係るＨＤＤの蓋体を開けた状態の正面図。
【図６】第２の本実施形態のＨＤＤの制御回路基板と基台の底面を外部からみた図。
【図７】第２の本実施形態に係るＨＤＤの断面図。
【発明を実施するための形態】
【００１０】
以下、本発明のディスク装置及び電子機器の一実施形態について、図面を参照しながら説明する。
図１は、第１の実施形態で説明するテレビジョン放送受信装置１１１の外観の一例を概略的に示している。
すなわち、テレビジョン放送受信装置１１１は、主として、薄型の筐体１１２と、この筐体１１２を起立させて支持する支持台１１３とから構成されている。そして、筐体１１２には、例えば液晶表示パネルやバックライト等を備えた平面パネル型ディスプレイである映像表示器１１４、一対のスピーカ１１５、操作部１１６、リモートコントローラ１１７から送信される操作情報を受けるリモコン受光部１１８等が設置されている。
【００１１】
図２は、第１の実施形態に係るテレビジョン放送受信装置１１１の筐体内部構造を示す斜視図である。図２に示すように、テレビジョン放送受信装置１１１は、正面側からフロントカバー１１２ａ、映像表示器１１４、回路基板１１９、バックカバー１１２ｂの順で重ねられて構成されている。
【００１２】
フロントカバー１１２ａは、映像表示器１１４を前面に露出させるために開口されたディスプレイ窓１１２ｃを有する。映像表示器１１４とバックカバー１１２ｂとの間に回路基板１１９が配置されている。回路基板１１９は、映像処理や音声処理に関わる様々な電子部品が実装された基板であり、そのバックカバー１１２ｂと対向する側の面には、映像表示器１１４の駆動回路や、受信した放送信号に所定の信号処理を施して映像信号と音声信号を生成する信号処理回路、マイクロプロセッサによる制御回路や、データ又はプログラムが格納されたメモリや、キャパシタ、抵抗、配線等の多数の電子部品が実装されている。
【００１３】
図３は、実施形態に係るテレビジョン放送受信装置１１１の背面を概略的に示している。図３に示すように、バックカバー１１２ｂには、当該バックカバーの外表面から内表面（回路基板１１９側の面）にかけて貫通する貫通穴１２０が所定間隔をおいて複数設けられている。なお、バックカバー１１２ｂの厚さは例えば約２ｍｍであり、貫通穴１２０の開口径は例えば１．５ｍｍ程度である。筐体１１２内部において、回路基板１１９上では様々な電子部品１２２が動作している。このような電子部品１２２の中には動作に伴い発熱するものがあるが、本実施例では、図３に示したような構成を有することで貫通孔１２０を介して外部からの新鮮な冷気の流入・排出を行うことができ、電子部品１２２の放熱を図ることができる。
【００１４】
ここで、本実施の形態において回路基板１１９は、紙フェノールを用いたフェノール基板により構成される。例えば筐体１１２内部においては、上述した電子部品１２２や、図示しないＨＤＤ（Ｈａｒｄ  ｄｉｓｋ  ｄｒｉｖｅ）、又は液晶パネルの背面側に在るバックライト等の発熱体が設けられるが、これらの発熱体が発熱することで回路基板１１９を加熱する。その結果、フェノール基板により構成される回路基板１１９からはフェノールが発散し、貫通孔１２０を介して排出されることで異臭が筐体１１２外部に拡散する。本実施例のテレビジョン放送受信装置１１１は、フェノール基板から発生したフェノールを除去することで、防臭効果を向上させる機能を有する。以下、この構成について図４を参照しながら説明する。
【００１５】
図４は、実施形態に係るテレビジョン放送受信装置１１１のバックカバー１１２ｂを正面側から見た図である。図４に示すように、バックカバー１１２ｂに形成された貫通穴１２０を覆うようにフィルタ１３０が設けられている。フィルタ１３０は、例えば竹炭や塩化カルシウム等の吸湿効果の高い材質を用いる。竹炭は、半径が１５−２７nmの微細孔が多数存在し、炭化温度によって表面積が大きくなる特性を有する。また、多孔質であることから空気中の水分を吸着するとともに、アンモニア、ホルムアルデヒド、ベンゼン、トルエン、インドール、及びノネナール等の物質を吸着する能力を有する。塩化カルシウムは、水分を吸収すると液状になる潮解性を有する。
【００１６】
ここで、フェノールは水中に溶解し易く、且つ水中からの揮散が生じ難いという性質を有する。例えば貫通穴１２０を覆うように設けられたフィルタ１３０は、筐体１１２内外の水分を含むことで湿潤し、フェノール基板から発生したフェノールを溶かし込む。これにより、本実施例のテレビジョン放送受信装置１１１は、異臭が筐体１１２外部に拡散することを抑制することができ、防臭効果を向上させる。
【００１７】
本実施の形態では、テレビジョン放送受信装置１１１を例にして説明したが、これに限らず、フェノール基板を用いた電子機器であれば良い。例えば他の実施形態として、ＤＶＤ（Ｄｉｇｉｔａｌ  Ｖｅｒｓａｔｉｌｅ  Ｄｉｓｋ）プレーヤやプロジェクタ等の電子機器に応用する例が挙げられる。
【００１８】
また、テレビジョン放送受信装置１１１の本実施例ではＨＤＤ（磁気ディスク装置）を発熱体として説明したが、ＨＤＤにフェノール基板が搭載されている場合には、当該ＨＤＤにフェノールを吸着するフィルタを適用しても良い。これにより、ＨＤＤから排出される異臭を防ぐことができる。以下、図５乃至図７を参照しながらＨＤＤにフェノール吸着フィルタを適用した第２の実施形態を説明する。
【００１９】
図５は、本実施形態におけるＨＤＤの蓋体を開けた状態を示した図である。図６は、本実施形態のＨＤＤの制御回路基板と基台の底面を外部からみた図である。図７は、図５のＸ−Ｘ’での切断した断面図である。
【００２０】
図５に示すように、本実施形態に係るＨＤＤは、基台２０１にディスク媒体２０２を回転駆動する駆動機構２０３、情報の記録再生を行うヘッド２０４、このヘッド２０４をディスク媒体２０２に対して移動自在に支持したキャリッジアッセンブリ２０５を有し、基台２０１は、蓋体２０６によって密閉されている。また、基台２０１、若しくは蓋体２０６には、ＨＤＤの装置内外における気圧の変化をなくすため、呼吸孔２１０が設けられている。
【００２１】
また、図６に示すように本実施形態に係るＨＤＤには、インターフェース部２０７と記録再生の制御、キャリッジアッセンブリ２０５の制御、回転駆動機構２０３の制御を司るＬＳＩ２０８を有した回路基板２０９が内蔵されている。回路基板２０９は、第１の実施形態として上記したように、紙フェノールを用いたフェノール基板により構成される。例えばＨＤＤ内部においては、回転駆動機構２０３やＬＳＩ２０８が発熱することで回路基板２０９を加熱する。その結果、回路基板２０９からはフェノールが発散し、異臭が呼吸孔２１０を介してＨＤＤ外部に拡散する。そこで本実施例のＨＤＤでは、第１の実施形態と同様にフェノール基板から発生したフェノールをフィルタにより除去することで、防臭効果を向上させる機能を有する。
【００２２】
図５及び図７に示すように、例えば本実施形態では基台２０１に呼吸孔２１０を設けるとともに、当該呼吸孔２１０を呼吸フィルタ２３０で覆った構造を有する。本実施例の呼吸フィルタ２３０は、例えば竹炭や塩化カルシウム等の吸湿効果の高い材質を用いて形成されている。従って、本実施例の呼吸フィルタ２３０は、呼吸孔２１０からの塵埃侵入を防ぐとともに、ＨＤＤ内外の水分を含むことで湿潤し、回路基板２０９から発生したフェノールを溶かし込む。これにより、本実施例のＨＤＤでは、異臭が筐体１１２外部に拡散することを抑制するという第１の実施形態と同様の効果を得ることができる。
【００２３】
このように、本実施例では、防臭効果を向上させることができるディスク装置及び電子機器を提供することができる。
本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【符号の説明】
【００２４】
１１１…テレビジョン放送受信装置
１１２…キャビネット
１１２ａ…フロントカバー
１１２ｂ…バックカバー
１１３…支持台
１１４…映像表示器
１１５…スピーカ
１１６…操作部
１１７…リモートコントローラ
１１８…受光部
１１９…回路基板
１２０…貫通穴
１３０…フィルタ
２０１…基台
２０２…磁気ディスク
２０３…ディスク回転機構
２０４…記録生成ヘッド
２０５…キャリッジアッセンブリ
２０６…蓋体
２０７…インターフェース
２０８…ＬＳＩ
２０９…回路基板
２１０…呼吸孔
２３０…呼吸フィルタ
【図１】
2010176767.tif 000003
【図２】
2010176767.tif 000004
【図３】
2010176767.tif 000005
【図４】
2010176767.tif 000006
【図５】
2010176767.tif 000007
【図６】
2010176767.tif 000008
【図７】
2010176767.tif 000009